(57)【要約】  複数の操作項目を配列表示するタッチパネル表示装置において、携帯機器の傾き状態を検出する傾き検出部を有し、傾き検出部が検出した傾き方向に応じて複数の操作項目の表示比率を制御して操作対象とする操作項目を拡大表示する。【特許請求の範囲】
【請求項１】
携帯機器に搭載され、複数の操作項目を配列表示するタッチパネル表示装置において、前記携帯機器の傾き状態を検出する傾き検出部を有し、前記傾き検出部が検出した傾き方向に応じて前記複数の操作項目の表示比率を制御して操作対象とする操作項目を拡大表示するようにしたことを特徴とするタッチパネル表示装置。
【請求項２】
操作対象の操作項目が拡大表示されたことを検出した場合、タイマにより当該表示状態を、その後の携帯機器の傾きにかかわらず、所定の時間だけ保持するようにしたことを特徴とする請求項１記載のタッチパネル表示装置。
【請求項３】
表示部に複数の操作項目を配列表示するタッチパネル画面を形成し、当該機器の傾き状態を検出する傾き検出部を有し、前記傾き検出部が検出した傾き方向に応じて前記複数の操作項目の表示比率を制御して操作対象とする操作項目を拡大表示するようにしたことを特徴とする携帯機器。
【請求項４】
操作対象の操作項目が拡大表示されたことを検出した場合、タイマにより当該表示状態を、その後の当該機器の傾きにかかわらず、所定の時間だけ保持するようにしたことを特徴とする請求項３記載の携帯機器。
【発明の詳細な説明】
【技術分野】
【０００１】
この発明は、タッチパネルの操作項目の表示サイズを制御するタッチパネル表示装置およびこの装置を搭載する携帯機器に関するものである。
【背景技術】
【０００２】
近年、各種情報機器は携帯するために小型化が著しい。このような携帯機器で、機器の傾きを傾斜センサにより検出してページをスクロールしたり、機器が軽く振られたときの加速度や衝撃を加速度センサにより検出して改ページを行うようにする技術が提案されている（例えば、特許文献１参照）。この方法を用いることにより、片手でも表示画面を制御できるようになる。しかし、この従来の技術では、携帯機器を振るとか、傾けるなどのかぎられたジェスチャーで表示画面の操作を行うものであるが、対象とする制御内容もページのスクロールや改ページと限られており、また、その操作動作の態様も実用性に乏しい。【０００３】
【特許文献１】特開２００２−１４０１５９号公報
【０００４】
この発明は、上記のような課題を解決するためになされたもので、一度に複数の操作項目を表示しているタッチパネルの画面において、機器を傾けることにより操作の対象とする項目をタッチし易いように表示するタッチパネル表示装置および携帯機器を得ることを目的とする。
【発明の開示】
【０００５】
この発明に係るタッチパネル表示装置は、携帯機器に搭載され、複数の操作項目を配列表示するタッチパネル表示装置において、携帯機器の傾き状態を検出する傾き検出部を有し、傾き検出部が検出した傾き方向に応じて複数の操作項目の表示比率を制御して操作対象とする操作項目を拡大表示するようにしたものである。
【０００６】
このことによって、携帯電話機のような極めて小型の携帯機器の表示画面に適用して多くの操作項目に対するタッチ操作を容易にする効果がある。特に、携帯サイズのため、タッチパネル画面は小さくなるが、傾けることでタッチパネルの操作対象なるボタンの有効エリアを拡大変更できるので、本来なら小さい筈のボタン表示が確認しやすくなり、かつ指先で接触しやすくなり、小型の携帯機器の操作性の向上を図ることができる。
【図面の簡単な説明】
【０００７】
【図１】この発明の実施の形態１によるタッチパネル表示装置を適用した携帯機器の機能構成について示すブロック図である。
【図２】この発明の実施の形態１に係るタッチパネル表示装置の利用イメージを示す斜視図である。
【図３】この発明の実施の形態１に係るタッチパネル表示装置の制御手順を示すフローチャートである。
【図４】この発明の実施の形態１に係るタッチパネルの表示形態の例を示す説明図である。
【図５】この発明の実施の形態１に係る携帯機器の傾き方向とタッチパネル画面の表示形態の関係を示す説明図である。
【図６】この発明の実施の形態１に係る携帯機器の傾き方向とタッチパネル画面の表示形態の他の配列構成を示す説明図である。
【発明を実施するための最良の形態】
【０００８】
以下、この発明をより詳細に説明するために、この発明を実施するための最良の形態について、添付の図面に従って説明する。
実施の形態１．
図１はこの発明の実施の形態１によるタッチパネル表示装置を適用した携帯機器の機能構成について示すブロック図である。図２はタッチパネル表示装置を携帯電話機に適用した場合の利用イメージを示す斜視図である。
図において、携帯情報機器１０は、この発明のタッチパネル表示装置の機能に関連する構成として、操作部１１、表示部１２、記憶部１３、傾き検出部１４、タッチパネル検出部１５、制御部１６等を備えている。操作部１１は、操作者が機能の選択および操作を行うキーが配列されている。表示部１２は、液晶等を用いて携帯機器１０で使用する画像や文字の情報を表示する手段である。表示部１２は、ここでは、さらに複数の操作項目が配列されたタッチパネルを構成する。記憶部１３は、タッチパネル画面や各種の画面データ、表示プログラム等を格納している。傾き検出部１４は、加速度センサを用いて携帯機器１０の傾き方向を検出する手段である。タッチパネル検出部１５は、操作者が指でタッチした表示部１２であるタッチパネル上の部分を検出する手段である。制御部１６は、ＣＰＵやマイコンとプログラムで構成され、携帯機器１０の各部を動作プログラムに基づいて制御する手段である。【０００９】
次に、タッチパネル表示装置の動作について説明する。図３はタッチパネル表示装置の制御手順を示すフローチャートである。
先ず、操作部１１のキー操作により記憶部１３からタッチパネル画面のデータを読み出して表示部１１に表示させる（ステップＳＴ１）。この状態では、タッチパネルの画面は、図４（ａ）に示すように同じサイズの複数の操作項目が配列された通常表示となる。操作者は、タッチパネルを操作する前に、携帯情報機器１０を傾ける（ステップＳＴ２）。その傾き方向を傾き検出部１４で検出するが（ステップＳＴ３）、その傾きが閾値を超えない場合には、初期の通常表示が維持される（ステップＳＴ４）。【００１０】
一方、ステップＳＴ３において、傾きが閾値を超えた場合には、その傾きの度合いが制御部１６に通知され、制御部１６が出す傾き情報により、表示部１２は表示形態を変更する（ステップＳＴ５）。このときの表示形態の例を図４で説明すると、携帯機器１０が最初の位置に対して左下側に傾けられた場合は、図４（ｂ）に示すように、タッチパネル画面の右上にある操作項目が優先的に拡大されるように表示比率が制御される。上の段の図は画面を垂直方向から見た状態を表し、下の段の図は傾斜前の方向から見た状態を表す。また、図４（ｃ）は、最初の位置に対して上部を向う側に傾けられた場合のタッチパネル画面の表示形態を示し、下部に位置する操作項目が優先的に拡大されるように表示比率が変更されている。図４（ｄ）は、ステップＳＴ１で表示させた最初の位置に対してタッチパネル画面を水平状態にした場合のタッチパネル画面の表示形態を示し、中央に位置する操作項目だけが優先的に拡大されるように表示比率が変更されている。なお、ステップＳＴ１における最初の状態がタッチパネル画面の水平状態であった場合には、一度画面を任意の角度に傾けてから水平に戻せば、図４（ｄ）の表示比率とすることができる。以上のような携帯機器１０の傾き方向に対するタッチパネル画面の表示形態の関係例を図５に示す。【００１１】
次に、ステップＳＴ４およびＳＴ５でタッチパネル画面の表示形態が確定した後、操作者は操作項目の表示面の対象とする操作項目を指先で触れる（ステップＳＴ６）。この場合、対象とする操作項目が拡大表示されているので、正確に触れることができ、操作を誤ることがない。タッチパネル検出部１５が、対象の操作項目が操作されたことを有効と判断すると、制御部１６は対象の操作項目に対応するイベントを行い（ステップＳＴ７）、その対応した処理に移る。【００１２】
なお、ステップＳＴ５において、表示比率が変更されて対象の操作項目（ボタン）のサイズが大きく表示されるが、タッチパネル画面が傾ける前の操作者の視線から外れたり、機器を保持している手の向きが不自然な状態となったりした場合、次に行うタッチ操作がしにくくなることがある。このような場合には、例えば対象の操作項目が拡大表示されたことを検出した場合、タイマにより当該表示状態を、所定の時間（次にタッチ操作を行える範囲を考慮した時間）だけ保持する制御する機能を設ければよい。そうすれば、タッチパネル画面を元の姿勢に戻しても拡大表示は維持され、かつタッチ操作がしやすい状態を形成することができる。また、元の姿勢に戻した後、タッチ操作が行われず所定の時間が経過した場合には、タッチパネル画面は傾ける前の元の表示状態（等しい表示比率）に徐々に戻っていくように制御してもよい。
なお、図５ではタッチパネル画面の構成が５行３列の場合について示したが、４行３列の例について図６に示す。また、図５は複数行単位で長さを変化させた例であり、図６はすべての行の長さを変化させた例である。【００１３】
以上のように、この実施の形態１によれば、機器の傾き状態を検出する傾き検出部を有し、傾き検出部が検出した傾き方向に応じて複数の操作項目の表示比率を制御して操作対象とする操作項目を拡大表示するようにしている。したがって、画面サイズが小さい表示部に多数の操作項目（タッチボタン）の設定を可能にする。特に、携帯電話機のように小型化される携帯機器に適用した場合、表示部の表示領域は限られているが、傾けることで操作対象なるボタンの有効エリアを拡大変更できるため、表示が確認しやすくなり、かつ指先で接触するボタンエリアを確保できるので、正確な操作が可能になる。また、傾き操作と指によるボタン操作を片手で行えるので、携帯電話機に適用して利便性を増すことができる。
【産業上の利用可能性】
【００１４】
以上のように、この発明に係るタッチパネル表示装置は、それを搭載した携帯機器を傾けることにより必要とする操作ボタンの有効エリアを適宜拡大変更できるので、携帯電話機のような極めて小型の携帯機器の表示画面に適している。
【図１】
2007007682.tif 000002
【図２】
2007007682.tif 000003
【図３】
2007007682.tif 000004
【図４】
2007007682.tif 000005
【図５】
2007007682.tif 000006
【図６】
2007007682.tif 000007
【国際調査報告】
2007007682.tif 000008
2007007682.tif 000009
2007007682.tif 000010
2007007682.tif 000011